(57)【要約】【課題】連結材を付けた不正な遊技球を使用しようとしても、簡便な構成として、その遊技球の操作を不能にできるパチンコ遊技機を提供すること。【解決手段】パチンコ遊技機は、球受け皿からの遊技球が、発射装置を経て遊技領域に発射され、さらに、入賞スイッチに到達可能に構成される。このパチンコ遊技機では、遊技球Ｂが、可撓性を有した紐状の連結材Ｓを付けられた状態で、球受け皿を経て発射された際に、遊技球Ｂの移動のための連結材Ｓの操作を不能にできる。球受け皿４４から入賞スイッチまでの遊技球の通路であって、曲がった通路ＬＲにおける内側の通路面ＩＦ側には、遊技球Ｂに連結された連結材Ｓの接触時に、連結材Ｓを切断可能とする切断部位ＣＴ１が、配設される。切断部位は、緊張状態の連結材Ｓとの接触時、連結材Ｓを切断可能な刃部１０３と、刃部１０３と遊技球Ｂとの直接接触を防止するカバー部１０１と、を備える。【選択図】図１３
2012070941.tif 000002
【特許請求の範囲】
【請求項１】
球受け皿からの遊技球が、発射装置を経て遊技領域に発射され、さらに、入賞スイッチに到達可能に構成されるパチンコ遊技機であって、
前記球受け皿から前記入賞スイッチまでの遊技球の通路であって、曲がった通路における内側の通路面側に、前記遊技球に連結された可撓性を有する紐状の連結材の接触時に、前記連結材を切断可能とする切断部位が、配設され、
該切断部位が、緊張状態の前記連結材との接触時、前記連結材を切断可能な刃部と、該刃部と前記遊技球との直接接触を防止するカバー部と、を備えて構成されていることを特徴とするパチンコ遊技機。
【請求項２】
前記切断部位が、前記遊技球の進入不能な開口幅として、曲がった前記通路を通過する遊技球の移動方向に沿って延び、底部側にかけて開口幅を狭める溝部を設けて、構成され、
前記刃部が、緊張状態の前記連結材と接触可能として、前記溝部の底部側に、配置され、
前記カバー部が、前記溝部における前記刃部の周囲から、構成されていることを特徴とする請求項１に記載のパチンコ遊技機。
【請求項３】
前記刃部が、先端に切刃を備えて構成され、
前記切刃が、前記溝部の形成方向と交差する方向に沿い、かつ、緊張状態の前記連結材と接触可能に、配設されていることを特徴とする請求項２に記載のパチンコ遊技機。
【請求項４】
前記球受け皿から前記発射装置の発射レールに落下させるまでの遊技球の通路であって、曲がった通路の内側の通路面側に、前記切断部位が、配設されていることを特徴とする請求項１乃至請求項３のいずれか１項に記載のパチンコ遊技機。
【請求項５】
外側レール部と内側レール部とを備えて構成されるレール部の前記内側レール部の上端側に、前記遊技領域側に打ち出された前記遊技球の前記レール部への戻りを防止可能な戻り防止片が、揺動可能に配設され、
前記戻り防止片の上縁側に、前記レール部から前記遊技領域側に向かう方向に貫通しつつ、下方に凹む溝部を形成されて、前記切断部位を構成する前記刃部と前記カバー部とが、配設されていることを特徴とする請求項２若しくは請求項３に記載のパチンコ遊技機。
【請求項６】
前記戻り防止片が、上縁側の揺動を確保した状態として、遊技盤面近傍の前記連結材を前記溝部内に導入可能に、後縁側を遊技盤面に埋め込むように、配設されていることを特徴とする請求項５に記載のパチンコ遊技機。
【請求項７】
外側レール部と内側レール部とを備えて構成されるレール部の前記内側レール部に、前記切断部位が、配設されていることを特徴とする請求項１乃至請求項３のいずれか１項に記載のパチンコ遊技機。
【請求項８】
前記切断部位を設けた部材が、着脱可能な交換部品としていることを特徴とする請求項１乃至請求項７のいずれか１項に記載のパチンコ遊技機。
【発明の詳細な説明】
【技術分野】
【０００１】
本発明は、遊技球が、可撓性を有した紐状の連結材を付けられた状態で、球受け皿を経て発射された際に、遊技球の移動のための連結材の操作を不能にできて、不正行為を防止できるパチンコ遊技機に関する。
【背景技術】
【０００２】
昨今、パチンコ遊技機において、不正に賞球を得る不正行為として、可撓性を有した細い（０．１〜０．３φ程度）釣り糸のような連結材を、遊技球に取り付け、その遊技球を発射装置から遊技領域に打ち出し、そして、普通入賞口等の入賞口の入賞スイッチの部位で、連結材を操作して、遊技球を往復移動させることにより、入賞スイッチを何回もオンさせて、不正に賞球を得る行為があった。
【０００３】
なお、連結材を遊技球に取り付けて行う不正行為としては、他に、連結材を把持した状態で、遊技球を計数機に投入し、連結材を操作して、遊技球を玉センサ部分で往復移動させることにより、計数値を多くするものがあった（例えば、特許文献１参照）。そして、従来、このような不正行為の対策としては、玉センサ部分での反転するような遊技球の異常な移動を、所定のレバースイッチで検知し、その不正行為を報知していた。
【０００４】
そこで、パチンコ遊技機において、遊技球に付けた連結材の操作による不正行為に対し、上記のレバースイッチ等を入賞スイッチ付近に設けて対処することが考えられる。
【先行技術文献】
【特許文献】
【０００５】
【特許文献１】特開平１０−８５４４１号公報（第５〜７頁、図１）
【発明の概要】
【発明が解決しようとする課題】
【０００６】
しかし、従来のパチンコ遊技機では、入賞口の数が多く、各入賞口に、反転する遊技球の移動をセンシングするレバースイッチ等を配置することは、レバースイッチ等に連結する電源線や信号線を含めて、設置スペースや部品点数の増加を招くことから、好ましくない。
【０００７】
本発明は、上述の課題を解決するものであり、連結材を付けた遊技球を使用しようとしても、簡便な構成として、その遊技球の操作を不能にできるパチンコ遊技機を提供することを目的とする。
【課題を解決するための手段】
【０００８】
本発明に係るパチンコ遊技機は、球受け皿からの遊技球が、発射装置を経て遊技領域に発射され、さらに、入賞スイッチに到達可能に構成されるパチンコ遊技機であって、
球受け皿から入賞スイッチまでの遊技球の通路であって、曲がった通路における内側の通路面側に、遊技球に連結された可撓性を有する紐状の連結材の接触時に、連結材を切断可能とする切断部位が、配設され、
切断部位が、緊張状態の連結材との接触時、連結材を切断可能な刃部と、刃部と遊技球との直接接触を防止するカバー部と、を備えて構成されていることを特徴とする。
【０００９】
本発明に係るパチンコ遊技機では、遊技球に連結された連結材が、緊張状態で、切断部位の刃部に対して接触すれば、刃部により切断される。なお、連結材が、緊張状態となる場合は、例えば、球受け皿側に連結材の操作把持側を残した状態で、遊技球が落下する重量を連結材にかけた際や、遊技球が発射装置により発射されて連結材を牽引した際、あるいは、遊技球がパチンコ遊技機内に入り込んだ状態で、連結材の操作把持側を引っ張った際、等に、生じる。そして、そのような連結材の緊張状態では、切断部位が、遊技球の曲がった通路における内側の通路面側に、配設されていれば、連結材が、刃部に対して、削られたり引き切りされるように摺動したり、あるいは、押し切りされるように押圧されて、刃部が、容易に、連結材を切断できる。
【００１０】
そして、本発明に係るパチンコ遊技機では、連結材が、切断部位の刃部に対して、緊張状態として接触する部位に、単に、切断部位を、配設するだけで、容易に、連結材を切断できて、簡便な構成で、遊技球の操作を不能にできて、不正行為を防止できる。また、カバー部が、遊技球の刃部との直接接触を防止できて、正常遊技時の遊技球を傷付けることもない。
【００１１】
なお、刃部は、金属製やセラミック製の薄板状の切刃を持ったカッターや、切断砥石・やすり・サンドペーパ等の細かい凹凸を設けた研削具、から形成することができ、そして、刃部は、周囲のカバー部と一体的に形成したり、適宜、一体的に形成後、後加工して、形成してもよい。さらに、刃部は、緊張状態の連結材との接触時、削ったり、引き切り、押し切り等で切断できる位置に、切刃や研削面を配置させればよい。
【００１２】
そして、本発明に係るパチンコ遊技機では、切断部位を、遊技球の進入不能な開口幅として、曲がった通路を通過する遊技球の移動方向に沿って延び、底部側にかけて開口幅を狭める溝部を設けて、構成し、
刃部を、緊張状態の連結材と接触可能として、溝部の底部側に、配置させ、
カバー部を、溝部における刃部の周囲から、構成することが望ましい。
【００１３】
このような構成では、遊技球が刃部に接触しない状態として、連結材が、遊技球の曲がった通路におけるコーナ部等の内側の通路面側を、摺動しつつ通過する際、円滑に、溝部内の狭まった底部側に入り込んで、刃部と接触することから、刃部が、容易に、連結材を切断することができる。
【００１４】
この場合、刃部が、先端に切刃を備えていれば、切刃は、溝部の形成方向と交差する方向に沿い、かつ、緊張状態の連結材と接触可能に、配設させることが望ましい。このような構成では、緊張状態の連結材が、切刃に接触すれば、容易に、切刃に、削られたり、引き切りや押し切りされ易くなって、迅速に、切断可能となる。
【００１５】
また、本発明に係るパチンコ遊技機では、球受け皿から発射装置の発射レールに落下させるまでの遊技球の通路であって、曲がった通路の内側の通路面側に、切断部位を、配設してもよい。このような構成では、遊技球がレール部や遊技領域に至るまで、すなわち、連結材を付けた遊技球が、球受け皿からパチンコ遊技機内に入り込んで、目視できないエリア、に配置されている際、連結材を切断できることから、不正行為者が連結材の切断される原因や理由を把握し難く、そのため、不正行為者の不正行為を繰り返す意欲を、効果的に削ぐことができる。
【００１６】
さらに、パチンコ遊技機において、外側レール部と内側レール部とを備えて構成されるレール部の内側レール部の上端側に、遊技領域側に打ち出された遊技球のレール部への戻りを防止可能な戻り防止片が、揺動可能に配設される場合には、戻り防止片の上縁側に、レール部から遊技領域側に向かう方向に貫通しつつ、下方に凹む溝部を形成して、切断部位を構成する刃部とカバー部とを、配設してもよい。
【００１７】
このような構成では、内側レール部の上端側に設けられる戻り防止片は、遊技領域の最上位置付近に配置されることから、遊技領域内に打ち出された遊技球は、戻り防止片から下方の位置に落下する状態となり、戻り防止片の上縁側が、遊技球の曲がった通路における内側の通路面側となる。そして、戻り防止片の上縁には、遊技球の重量や落下運動する遊技球の慣性力が加わって、連結材が引っ掛かり易い。そのため、連結材が、下方に引っ張られて、戻り防止片の上縁側に設けた切断部位の溝部に入り、そして、刃部と接触して、円滑に、切断可能となる。すなわち、上記の構成では、遊技球を操作しようと、球受け皿側の連結材の操作把持部を引っ張る前に、連結材を切断可能となる。勿論、遊技球が遊技領域に打ち出されて落下した直後に、連結材が切断されなくとも、その後の連結材の引っ張り操作時には、連結材が刃部と摺動するため、刃部は円滑に連結材を切断可能となる。
【００１８】
この場合、戻り防止片は、上縁側の揺動を確保した状態として、遊技盤面近傍の連結材を溝部内に導入可能に、後縁側を遊技盤面に埋め込むように、配設することが望ましい。このような構成では、遊技盤面と戻り防止片との間に、連結材が嵌ること無く、円滑に、連結材を、切断部位の溝部内に導入させ、そして、刃部によって、切断できる。
【００１９】
さらに、切断部位は、外側レール部と内側レール部とを備えて構成されるレール部の内側レール部に、配設してもよい。内側レール部は、遊技領域を囲むように、外膨らみの曲線状に形成されており、遊技球の曲がった通路における内側の通路面側を構成することとなる。そして、遊技球が、発射装置から発射され、レール部を経て、遊技領域に打ち出されようとすれば、遊技球に連なる連結材は、内側レール部の外周側の全面に接触するように、牽引されることから、切断部位の溝部内に入り込んで、円滑に、刃部と摺動して、切断されることとなる。
【００２０】
そして、本発明に係るパチンコ遊技機では、切断部位を設けた部材を、着脱可能な交換部品とすれば、既存のパチンコ遊技機において、交換して、切断部位を設けた部品を取り付けることができて、容易に、連結材を付けた遊技球による不正行為対策を図ることができる。このような交換部品としては、球受け皿から発射装置に遊技球を送る球送り装置や、戻り防止片、等が例示できる。
【００２１】
勿論、上記のような交換部品としなくとも、別途、切断部位を設けた部材、あるいは、切断部位自体を、パチンコ遊技機に設けるようにしてもよく、その場合には、発射装置に至るまでの部位やレール部の部位ばかりでなく、入賞口における入賞スイッチの直前部位や、大当り遊技中に右打ちする場合のセンター役物の右上部付近等に、切断部位を配設することができる。
【発明の効果】
【００２２】
したがって、本発明に係るパチンコ遊技機では、連結材を付けた遊技球を使用しようとしても、簡便な構成として、その遊技球の操作を不能にできる。
【図面の簡単な説明】
【００２３】
【図１】本発明に係る第１実施形態のパチンコ遊技機の概略正面図である。
【図２】第１実施形態のパチンコ遊技機における本体枠に対して、前面枠を開けた状態を示す概略部分斜視図であり、遊技盤を省略している。
【図３】図２に示す状態から、球送り装置を外した状態を示す概略部分斜視図である。
【図４】図３に示す状態の本体枠側の発射装置に対し、球送り装置を配置させた状態と、球送り装置を外した状態と、を示す概略斜視図である。
【図５】第１実施形態のパチンコ遊技機の本体枠側を示す概略正面図である。
【図６】第１実施形態の球送り装置を示す概略背面図である。
【図７】第１実施形態の球送り装置の概略分解斜視図である。
【図８】第１実施形態の球送り装置に切断部位を配設するための切断用部品の左側面図である。
【図９】第１実施形態の球送り装置に使用される切断用部品の斜め左後方向から見た部分断面背面図である。
【図１０】第１実施形態の球送り装置に使用される切断用部品の斜め左前方向から見た正面図である。
【図１１】連結材を付けた遊技球が第１実施形態の球送り装置を通過する状態を、順に示す概略斜視図である。
【図１２】連結材を付けた遊技球が第１実施形態の球送り装置を通過する状態を、順に示す概略斜視図であり、図１１の後の状態を示す。
【図１３】連結材を付けた遊技球が第１実施形態の球送り装置を通過する状態を、順に示す概略拡大平面図である。
【図１４】連結材を付けた遊技球が発射装置から発射された状態を、第１実施形態の球送り装置の背面側から示した概略図である。
【図１５】第１実施形態の球送り装置の変形例の使用時において、連結材を付けた遊技球が発射装置から発射された状態の二態様をそれぞれ示す概略平面図である。
【図１６】第１実施形態の球送り装置の変形例の使用時において、連結材を付けた遊技球が発射装置から発射された状態を示す概略背面図である。
【図１７】第１実施形態の球送り装置の変形例の使用時において、連結材を付けた遊技球が発射装置から発射された他の状態を示す概略背面図である。
【図１８】第２実施形態の切断部位を設けた戻り防止片の概略斜視図である。
【図１９】第２実施形態の戻り防止片の作動時を順に示す概略部分断面正面図である。
【図２０】第２実施形態の変形例の戻り防止片の概略正面図である。
【図２１】図２０のXXI−XXI部位の概略部分断面図である。
【図２２】図２０に示した戻り防止片の作動時を順に示す概略部分断面正面図である。
【図２３】第２実施形態の戻り防止片の他の変形例を示す概略斜視図である。
【図２４】図２３に示す戻り防止片の概略平面図と概略左側面図である。
【図２５】第３実施形態の切断部位を設けたレール部を示す概略正面図である。
【図２６】第３実施形態のレール部に切断部位を設けるための切断用部品の斜視図である。
【図２７】第３実施形態の切断用部品を使用して連結材を切断する状態を説明する概略図である。
【図２８】第４実施形態の切断部位を設けたレール部を示す概略正面図である。
【図２９】第４実施形態の切断部位を設けたレール部の部分斜視図である。
【図３０】第４実施形態のレール部を使用して連結材を切断する状態を説明する概略図である。
【発明を実施するための形態】
【００２４】
＜第１実施形態＞
以下、本発明の一実施形態を図面に基づいて説明すると、第１実施形態のパチンコ遊技機１は、図１，２に示すように、本体枠２と、本体枠２にヒンジ結合されて開閉可能な前面枠３と、を備えて構成されている。本体枠２は、外枠（機枠）２ａと、外枠２ａにヒンジ結合されて開閉可能とし、遊技盤５を設けてなる中枠（内枠）２ｂと、を備えて構成されている。前面枠３は、遊技盤５の前方側に配置される透明なガラス部４１と、ガラス部４１の下方に配置されて、球受け皿４４を設けた皿ユニット部４３と、を備えて構成されている。皿ユニット部４３には、遊技球を遊技盤５の遊技領域１２に打ち出すために操作するハンドル４８や皿球抜きボタン４９、通路球抜きボタン５０、演出ボタン５１が配設されている。
【００２５】
遊技盤５の外縁側には、外側レール部９と内側レール部１０とを有してなるレール部８が配設され、レール部８の内側の遊技領域１２には、中央に配置された画像表示装置１５を設けてなるセンター役物１４や、その周囲に配置される図示しない釘、風車１７、普通入賞口１８、賞球の無い入賞口（ゲート）１９、第１始動口２０、第２始動口（電動チューリップ）２１、大入賞口（アタッカー）２２、アウト口２３等の公知の部材が、配設されている。
【００２６】
このパチンコ遊技機１では、ハンドル４８を操作すれば、皿ユニット部４３の内部に設けられた球送り装置６０の後述する送り部材７０（図７参照）と、遊技盤５の下方に配置された発射装置３０の発射杆３２（図５，６参照）と、が連動するように作動されて、球受け皿４４上の遊技球が、球送り装置６０の送り部材７０によって、１球ずつ、発射装置３０の後述する発射レール３５上に送られ、ついで、発射装置３０の発射杆３２が、発射レール３５上の遊技球を、叩いて発射させることから、遊技球が、発射装置３０から、レール部８を経て、遊技領域１２に打ち出されることとなる。
【００２７】
そして、遊技領域１２に打ち出された遊技球は、普通入賞口１８、ゲート１９、第１始動口２０、第２始動口２１、大入賞口２２、アウト口２３のいずれかに入球する。この時、遊技球が、普通入賞口１８、第１始動口２０、開放時の第２始動口２１や大入賞口２２に入賞すれば、所定数の遊技球が球受け皿４４上に払い出され、ゲート１９を通過すれば、抽選により第２始動口２１を所定時間若しくは所定回数開放させることとなる。また、遊技球が、第１始動口２０や開放時の第２始動口２１に入賞すれば、抽選により、大当たり、中当たり、小当たり等の当たりや外れが決定され、当たりとなれば、大入賞口２２を、その当たりに応じて開放時間、開放回数、入賞個数等を制限して、開放することとなる。これらの作動や遊技フローは、公知のものであり、遊技盤５の背面側（後面側）に配置された図示しないメイン制御基板が、入賞時のセンシングに基づき、各種の作動信号を出力し、そして、メイン制御基板からの当たりや外れ等の抽選結果に基づいて、図示しないサブ制御基板が、所定数の遊技球を払い出したり、所定のランプ２７やスピーカ２８等を作動させつつ、所定の演出を画像表示装置１５に表示することとなる。
【００２８】
このようなパチンコ遊技機１に対し、不正行為者は、可撓性を有した０．１〜０．３φ程度の細い釣り糸のような連結材Ｓを付けた遊技球Ｂを、通常の遊技球と同様に、球受け皿４４から、ハンドル４８を操作し、球送り装置６０を経て、発射装置３０に送り、発射装置３０から遊技領域１２へ打ち出す。その際、連結材Ｓの元部端側は、球受け皿４４側に残しておく。そして、不正行為者は、その連結材Ｓの元部側を引張ったり繰出したりして、遊技球Ｂを操作し、遊技球Ｂを、賞球のある既述の入賞口１８，２０，２１，２２に入球させ、それらの入賞スイッチ（球検知スイッチ）２５の部位で、連結材Ｓを操作して、遊技球Ｂを往復移動させることにより、入賞スイッチ２５を何回もオンさせて、賞球を得ようと、不正を働くこととなる。
【００２９】
発射装置３０について説明すると、発射装置３０は、図４〜６に示すように、前方側をカバー３３に覆われた発射杆３２と、発射通路３４と、を備えて構成されている。発射杆３２は、揺動中心部３２ａから放射状に延びる打球部３２ｂとアーム部３２ｃとを備え、揺動中心部３２ａが図示しないロータリソレノイドの通電によって回動されれば、発射杆３２が、正面視で、打撃位置ＢＰまで時計回り方向に回転し、発射通路３４の発射レール３５上にある遊技球Ｂを打球部３２ｂによって叩き、ついで、ロータリソレノイドの通電停止により、発射杆３２が、図示しない磁石の吸着力と自重とにより、反時計回り方向に回転して、原位置ＦＰに復帰することとなる。なお、アーム部３２ｃは、発射杆３２の打撃位置ＢＰと復帰位置（原位置）ＦＰとへの配置を的確に行えるように、図示しない所定のストッパに当接して、発射杆３２を一定位置に配置できるように、構成されるとともに、所定位置に配置される磁石に対応して、発射杆３２の復帰時に吸着される部位、として形成されている。
【００３０】
発射通路３４は、板金製として上面側をＶ字状に凹ませた発射レール３５と、その周囲の下ガイドレール３６及び上ガイドレール３７と、を備えて構成され、さらに、後面側を、発射装置３０のベース板３１に囲われ、前面側を、前面枠３側の球送り装置６０等の部材に囲われて、構成されている。
【００３１】
そのため、発射レール３５上で打球部３２ｂに叩かれた遊技球Ｂは、図５に示すように、発射通路３４を上昇し、中枠２ｂに設けられた転動路２ｃ等を経て、レール部８側に発射され、そして、レール部８を経て、遊技領域１２に打ち出される。
【００３２】
なお、レール部８の下方には、図２，５に示すように、前面枠３側に設けられた球案内樋部５３が配設されている。この球案内樋部５３は、発射装置３０によって発射された遊技球Ｂが遊技領域１２に打ち出されずにレール部８内を戻ってくる遊技球Ｂを、球受け皿４４側に戻す戻し通路５４を備えて構成され、外側レール部９の下端９ａの下方に、戻し通路５４の流入口５４ａを開口させている。さらに、球案内樋部５３には、戻し通路５４の後方側に配置されて、賞球や貸し出しで払い出される遊技球を、球受け皿４４側に転動させる払出側通路５５も、配設されている。図２に示す符号５５ａの部位は、払出側通路５５の流入口である。さらに、図２に示す符号５６は、発射通路３４を上昇する遊技球を転動させる転動路５６である。
【００３３】
そして、このパチンコ遊技機１では、図６〜１０に示すように、球送り装置６０に、第１実施形態の切断部位ＣＴ１を設けている。
【００３４】
球送り装置６０は、図２〜４に示すように、球受け皿４４の遊技球Ｂの転動路４５（図１参照）における終端（下端）の排出口４６に連なるように、配設されている。なお、排出口４６は、図３に示すように、前面枠３の後面に開口されており、その下縁側には、通路球抜きボタン５０の操作により、スライドして、球送り装置６０側ではなく、球受け皿４４から下方に遊技球を排出するように開口するシャッタ４７（図１３参照）が、配設されている。
【００３５】
球送り装置６０は、図７に示すように、ケース６１、ソレノイド６４、揺動プレート６５、送り部材７０、ガイドレール部材７７、及び、切断用部品９０、を備えて構成され、ケース６１は、相互に締結される前カバー６２と後カバー６３とを備えて構成されている。実施形態の場合、ケース６１や切断用部品９０以外のソレノイド６４等の部品は、前カバー６２と後カバー６３との少なくとも一方に組み付けられたり、あるいは、前カバー６２と後カバー６３との両者の締結時に、位置決めされるように、ケース６１に組み付けられている。
【００３６】
ソレノイド６４は、コ字形の支持プレート６６に保持されて、通電時、揺動プレート６５を吸着する。揺動プレート６５は、上端を、支持プレート６６に締結される引張りコイルばね６７と連結させ、上下方向の中間の支持部６５ａを支持プレート６６の係止片６６ａ，６６ａに支持させている。そのため、揺動プレート６５は、支持部６５ａを揺動中心として、ソレノイド６４の通電により、先端部６５ｂをソレノイド６４側に接近させ、ソレノイド６４の通電停止により、コイルばね６７の付勢力により、先端部６５ｂをソレノイド６４から離すように、揺動する。
【００３７】
送り部材７０は、図７，１３に示すように、平面視としてＵ字状として、「Ｕ」の字の底部７１に軸支部７１ａを配置させ、軸支部７１ａに、後カバー６３に上下両端を支持される支持ピン６８を挿通させることにより、支持ピン６８を中心に、左右方向に揺動可能に配設されている。そして、送り部材７０は、底部７１の上面に、湾曲した半割り円筒状の突起７４，７５を突設させ、突起７４，７５間に、揺動プレート６５の先端部６５ｂを嵌め込んでいる。そのため、ソレノイド６４の通電と通電停止とにより、揺動プレート６５が左右に揺動すれば、送り部材７０は、支持ピン６８を中心として、左右に揺動する。
【００３８】
また、送り部材７０は、底部７１から左右両側の前方に延びる二つの規制杆部７２，７３を備え、規制杆部７２，７３の間に、１個分の遊技球Ｂを収納できる凹部７０ａを形成している。規制杆部７２は、ソレノイド６４の非通電時における揺動プレート６５がソレノイド６４から離れた位置に配置されている際、球受け皿４４側の排出口４６の後方を塞ぐ位置に、前面の受止面７２ａを配置させて、球受け皿４４側の排出口４６に位置する遊技球Ｂの球送り装置６０側への流入を阻止している。そして、ソレノイド６４の通電に伴って、揺動プレート６５がソレノイド６４に接近する方向に揺動すれば、規制杆部７２が、右方に回転し、受止面７２ａを排出口４６から右方にずらすため、排出口４６に配置されていた遊技球Ｂが凹部７０ａ内に進入する。ついで、ソレノイド６４への通電停止により、コイルばね６７の付勢力が作用して、揺動プレート６５がソレノイド６４から離れれば、規制杆部７２が、排出口４６を塞ぐように復帰する。そしてその際、規制杆部７３は、下方側に延びるような厚さ寸法を小さくした板状として、かつ、その下方のガイドレール部材７７の転動路７９の底壁８０が、左下がりに傾斜しているため、凹部７０ａ内に収納していた遊技球Ｂは、規制杆部７３の下方を潜り抜けるように、左下がりの転動路７９の底壁８０上を、左方に転動していくこととなる。そのため、ソレノイド６４の１サイクル分の通電・通電停止により、送り部材７０が１回分左右に揺動し、排出口４６を経てガイドレール部材７７の流入口７８側に流入しようと待機していた遊技球Ｂが、１個ずつ、転動路７９を経て、そして、転動路７９の終端の流下口８２を経て、発射装置３０に送られることとなる。
【００３９】
ガイドレール部材７７は、図６，７，１１〜１４に示すように、排出口４６に連通するように、排出口４６の後方に遊技球Ｂの流入口７８を配置させ、そして、流入口７８から遊技球Ｂを転動させるように転動路７９を配設させている。転動路７９の終端は、遊技球Ｂを落下させる流下口８２としており、流下口８２は、発射装置３０の発射レール３５の上面に遊技球を落下可能な位置に配置されている。
【００４０】
転動路７９は、流入口７８から左方に傾斜して下がり、さらに、斜め右後方側に反転するように、曲がりながら下がって、流下口８２に向かうように配設されている。この転動路７９は、底壁８０と、転動路７９の曲がる外周側に配置される側壁８１と、を備えて構成されている。
【００４１】
そして、第１実施形態では、転動路７９の右後方に反転するような反転部（曲がり部）７９ａにおける内側の通路面ＩＦ側に、すなわち、遊技球Ｂの曲がった通路ＬＲにおける内側の通路面ＩＦ側に、切断用部品９０を配設させている。この切断用部品９０は、図７〜１３に示すように、ポリプロピレン等の合成樹脂から形成されており、底壁８０に固定する三角板状の取付座９１と、ガイド壁９２と、柱状部９３と、を備えて構成されている。取付座９１には、切断用部品９０を底壁８０に取り付けるための取付孔９１ａと、底壁８０の位置決め孔８５に嵌合される位置決め突起９１ｂと、が配設されている。なお、切断用部品９０を取り付ける際には、ねじ８７が使用され、底壁８０側には、ねじ８７を螺着させる取付孔８４が形成されている。
【００４２】
ガイド壁９２は、取付座９１の前縁側から上方に延びるように配設されて、送り部材７０の規制杆部７３の下方を潜り抜ける遊技球Ｂを、底壁８０上で左方に転動させるように案内する。
【００４３】
柱状部９３は、ガイド壁９２の左端で三角柱状に、取付座９１から上方に延びるように形成されている。そして、柱状部９３の通路面ＩＦ側におけるコーナ部９４には、上下に３つの溝部９６（９６Ａ，９６Ｂ，９６Ｃ）が形成されている。
【００４４】
各溝部９６は、遊技球Ｂの底壁８０上を転動する移動方向に沿って、換言すれば、底壁８０に沿って、前側から後下がりに延びるように、形成され、凹んだ底部９７を挟んで、上下方向で対向する対向壁部９８，９９を備えて構成されている。なお、各溝部９６の形成される方向は、曲がった通路ＬＲを通る遊技球Ｂの移動方向に沿って形成されており、連結材Ｓを付けた遊技球Ｂが、遊技球Ｂの転動する上流側の流入口７８から、コーナ部９４（反転部７９ａ）を回るように底壁８０上を転動して、下流側の流下口８２に到達すれば、連結材Ｓは、流入口７８から流下口８２まで連なるように延びて、結果的に、連結材Ｓが遊技球Ｂの転動する移動方向と一致して延びる状態となる。そのため、緊張状態となる連結材Ｓは、溝部９６に沿った状態で直線状となって、溝部９６内の全域に進入し易くなる。
【００４５】
そして、各溝部９６は、開口９６ａ側から底部９７側にかけて対向壁部９８，９９相互の対向面９８ａ，９９ａが狭まるように、相互に相対的に傾斜して形成されている。すなわち、各溝部９６は、開口９６ａの上下方向の開口幅を、底部９７側にかけて狭めるように形成されている。さらに、実施形態では、底部９７において、対向面９８ａ，９９ａの少なくとも一方が凹んで、上下方向の幅を広くするような広口部９７ａを形成している（図９参照）。
【００４６】
実施形態の場合、上部側の二つの溝部９６Ａ，９６Ｂにおける下方側の対向壁部９９が、その対向面９９ａの底部９７側を凹ませて、副溝部９９ｂを形成するようにして、広口部９７ａを形成している。また、下端の溝部９６Ｃの対向する対向壁部９８，９９相互が、共に、対向面９８ａ，９９ａの底部９７側を凹ませて、副溝部９８ｂ，９９ｂを形成するようにして、広口部９７ａを形成している。
【００４７】
そして、第１実施形態の切断部位ＣＴ１では、各溝部９６の底部９７側に、刃部１０３を埋設させて、形成され、切断用部品９０が、三つの切断部位ＣＴ１を配設させて、構成されている。実施形態の場合、刃部１０３は、金属製のカッタから形成され、切断用部品９０の成形時に、インサート成形したり、あるいは、別途、成形後に上下に貫通するような取付孔を設けて、その取付孔から刃部１０３を差し込んで取り付けられている。そして、刃部１０３は、各溝部９６の形成方向と略直交方向で交差する方向、換言すれば、曲がった通路ＬＲの通路面ＩＦを転動する遊技球Ｂの移動方向と略直交するように、実施形態では、上下方向に沿うように配置させ、さらに、先端の切刃１０４を、底部９７から開口９６ａ側に向けるように、コーナ部９４の曲率中心側からコーナ部９４の頂部９４ａに向かって、配置させている。
【００４８】
この刃部１０３の配置位置は、各溝部９６の開口９６ａの周縁が、遊技球Ｂを受け止めるカバー部１０１となって、各溝部９６の開口９６ａの周縁に遊技球Ｂが当たっても、刃部１０３に遊技球Ｂが接触しない位置としている。さらに、実施形態の場合、溝部９６の形成方向に沿った方向における中間位置で、すなわち、溝部９６の前方側から斜め右下後方向に延びる方向に沿った溝部９６の中間位置で、底部９７側からコーナ部９４の頂部９４ａ側へ向かうように、切刃１０４を向けて、配置されている。特に、実施形態では、切刃１０４が、対向壁部９８，９９の副溝部９８ｂ，９９ｂの対向面部９８ｃ，９９ｃとの間に、隙間ｈを残して、配設されている。
【００４９】
この第１実施形態の切断部位ＣＴ１を設けた球送り装置６０では、不正行為者が、ハンドル４８を操作して、連結材Ｓを付けた遊技球Ｂを、球受け皿４４の転動路４５と排出口４６と経て、球送り装置６０に流入させ、さらに、発射装置３０から、レール部８を経て、遊技領域１２に打ち出そうとする際、その球送り装置６０の部位では、図１１〜１３に示すような挙動となる。
【００５０】
すなわち、連結材Ｓを付けた遊技球Ｂが、送り部材７０の左右の揺動により、排出口４６から流入口７８を経て、ガイドレール部材７７の転動路７９に流入して、規制杆部７３の下方を潜り抜けて、切断用部品９０付近に到達する（図１１のＡ〜Ｃ、図１３のＡの二点鎖線参照）。その後、遊技球Ｂは、さらに転動して、反転部７９ａを通過して、流下口８２から発射装置３０の発射レール３５上に流下しようとする（図１２のＡ，Ｂ、図１３のＢの実線参照）。
【００５１】
その際、遊技球Ｂから延びる連結材Ｓが、切断用部品９０の何れかの溝部９６に進入し、溝部９６の底部９７側の刃部１０３と接触可能な状態となる。そして、遊技球Ｂに連結された連結材Ｓが、緊張状態で、切断部位ＣＴ１の刃部１０３に対して接触すれば、刃部１０３により切断される（図１３のＢの二点鎖線、図１４参照）。
【００５２】
なお、連結材Ｓが、緊張状態となる場合は、例えば、球受け皿４４側に連結材Ｓの操作把持側を残した状態で、遊技球Ｂが落下する重量を連結材Ｓにかけた際や、遊技球Ｂが発射装置３０により発射されて連結材Ｓを牽引した際、あるいは、遊技球Ｂが遊技領域１２に打ち出された状態で、連結材Ｓの操作把持側を引っ張った際、等に、生じる。そして、そのような連結材Ｓの緊張状態では、切断部位ＣＴ１が、遊技球Ｂの曲がった通路ＬＲにおける内側の通路面ＩＦ側に、配設されていれば、連結材Ｓが、刃部１０３に対して、切刃１０４と略直交方向に摺動して、切刃１０４に削られたり、あるいは、切刃１０４に沿って摺動して、切刃１０４に引き切りされる状態となったり、さらには、切刃１０４に押し切りされるように押圧されて、刃部１０３が、容易に、連結材Ｓを切断する。
【００５３】
そして、第１実施形態では、連結材Ｓが、切断部位ＣＴ１の刃部１０３に対して、緊張状態として接触する部位に、単に、切断部位ＣＴ１を、配設するだけで、容易に、連結材Ｓを切断できて、簡便な構成で、遊技球Ｂの操作を不能にできて、不正行為を防止できる。また、カバー部１０１が、遊技球Ｂの刃部１０３との直接接触を防止できて、正常遊技時の遊技球Ｂを傷付けることもない。
【００５４】
したがって、第１実施形態の球送り装置６０を備えたパチンコ遊技機１では、連結材Ｓを付けた遊技球Ｂを使用しようとしても、簡便な構成として、その遊技球Ｂの操作を不能にできる。
【００５５】
そして、第１実施形態では、切断部位ＣＴ１を、遊技球Ｂの進入不能な開口幅として、曲がった通路ＬＲを通過する遊技球Ｂに沿って延び、底部９７側にかけて開口幅を狭める溝部９６を設けて、構成し、刃部１０３を、緊張状態の連結材Ｓと接触可能として、溝部９６の底部９７側に、配置させ、カバー部１０１を、刃部１０３の周囲における溝部９６の開口９６ａの周縁から、構成している。そのため、遊技球Ｂが切刃１０４に接触しない状態として、連結材Ｓが、遊技球Ｂの曲がった通路ＬＲにおけるコーナ部（反転部、曲がり部）９７ａ等の内側の通路面ＩＦ側を、摺動しつつ通過する際、円滑に、対向面９８ａ，９９ａを滑って溝部９６内の狭まった底部９７側に入り込んで、刃部１０３と接触することから、刃部１０３が、容易に、連結材Ｓを切断することができる。
【００５６】
また、第１実施形態では、球受け皿４４から発射装置３０の発射レール３５に落下させるまでの遊技球Ｂの通路、すなわち、球送り装置６０の転動路７９であって、曲がった通路ＬＲの内側の通路面ＩＦ側に、切断部位ＣＴ１を、配設している。そのため、第１実施形態では、遊技球Ｂがレール部８や遊技領域１２に至るまで、すなわち、連結材Ｓを付けた遊技球Ｂが、球受け皿４４からパチンコ遊技機１内に入り込んで、目視できないエリア、に配置されている際、連結材Ｓを切断できることから、不正行為者が連結材Ｓの切断される原因や理由を把握し難く、そのため、不正行為者の不正行為を繰り返す意欲を、効果的に削ぐことができる。
【００５７】
さらに、第１実施形態では、切断部位ＣＴ１を設けた部材を、着脱可能な交換部品としている球送り装置６０としており、既存のパチンコ遊技機において、交換して、切断部位ＣＴ１を設けた部品（球送り装置）６０を取り付けることができて、容易に、連結材Ｓを付けた遊技球Ｂによる不正行為対策を図ることができる。
【００５８】
また、第１実施形態の切断部位ＣＴ１では、刃部１０３の切刃１０４が、対向壁部９８，９９の副溝部９８ｂ，９９ｂの対向面部９８ｃ，９９ｃとの間に、隙間ｈを残して、配設されている。このような副溝部９８ｂ，９９ｂは、溝部９６の底部９７側で、底部９７の開口幅を広げるように、配設されており、連結材Ｓが底部９７側から離れようとしても、副溝部９８ｂ，９９ｂにおける底部９７と対向する対向面部９８ｃ，９９ｃが、抜けようとする連結材Ｓを係止して、連結材Ｓが副溝部９８ｂ，９９ｂ内から離脱することを防止できる。そのため、緊張状態の連結材Ｓが、一旦、緩んで、再度、緊張状態となる場合、副溝部９８ｂ，９９ｂから外れていないことから、直ちに、切刃１０４に接触して、迅速に、切断される。
【００５９】
なお、実施形態の場合、切刃１０４と対向面部９８ｃ，９９ｃとの間の隙間ｈの寸法は、連結材Ｓの直径より大きく設定されているが、隙間ｈの寸法を、連結材Ｓの直径と同等、若しくは、若干、小さくすれば、連結材Ｓが隙間ｈに進入する際、連結材Ｓが、切刃１０４に沿って摺動して、切刃１０４に引き切りされ易くなる。
【００６０】
さらに、発射装置３０に至るまでの通路に、切断部位ＣＴ１を設ける場合には、遊技球Ｂの曲がった通路ＬＲにおける内側の通路面ＩＦ側に設ければよく、例えば、図１５〜１７に示すように、球送り装置６０の流下口８２の下縁８８側や左縁８９側に設けてもよい。下縁８８側は、遊技球Ｂが流下口８２から発射レール３５上に落下することから、遊技球Ｂの下方に曲がった通路ＬＲの内側の通路面ＩＦ側となる。また、左縁８９側は、発射レール３５上の遊技球Ｂが発射されれば、流下口８２から左斜め上方に曲がった通路ＬＲにおける内側の通路面ＩＦとなる。
【００６１】
なお、流下口８２の下縁８８側や左縁８９側に設けた切断部位ＣＴ１は、切断用部品９０のコーナ部９４に設けた三つの溝部９６と刃部１０３とを設けた構造と同様である。但し、下縁８８側の切断部位ＣＴ１は、三つの溝部９６の全てに、左方に凹むように、副溝部９９ｂを設け、また、左縁８９側の切断部位ＣＴ１は、三つの溝部９６の全てに、上方に凹むように、副溝部９８ｂを設けている。すなわち、発射装置３０から発射される遊技球Ｂが、斜め上左方向に向いて、打ち出されることから、連結材Ｓも、流下口８２から斜め上左方向に向いて引っ張られ、その際、連結材Ｓが、下縁８８側では、左側の副溝部９９ｂに進入し易くなり、また、左縁９８側では、上側の副溝部９８ｂに進入し易くなるからである。
【００６２】
そして、これらの流下口８２の下縁８８側や左縁８９側に設けた切断部位ＣＴ１でも、連結材Ｓを付けた状態で遊技球Ｂがレール部８側に発射されれば、何れかの溝部９６内に進入して、連結材Ｓが、切断部位ＣＴ１の刃部１０３に対して、緊張状態として接触する状態（遊技球Ｂの発射された際、あるいは、発射後の連結材Ｓの操作時等）となることから、容易に、連結材Ｓを切断できて、簡便な構成で、遊技球Ｂの操作を不能にでき、不正行為を防止できる。また、カバー部１０１が、遊技球Ｂの刃部１０３との直接接触を防止できて、正常遊技時の遊技球Ｂを傷付けることもない。
【００６３】
＜第２実施形態＞
つぎに、第２実施形態の切断部位ＣＴ２を説明すると、図５，１８，１９に示すように、遊技領域１２側に打ち出された遊技球Ｂのレール部８への戻りを防止可能な戻り防止片１２０に、切断部位ＣＴ２が配設されている。このような戻り防止片１２０は、外側レール部９と内側レール部１０とを備えて構成されるレール部８の内側レール部１０の上端１０ａ側に、配設されている。そして、この戻り防止片１２０の配置箇所では、レール部８の内側レール部１０の上端１０ａから遊技領域１２側に向かって下方に反転するように、遊技球Ｂが通過することから、戻リ防止片１２０は、遊技球Ｂの曲がった通路ＬＲにおける内側の通路面ＩＦ側に、配置されていることとなる。
【００６４】
この戻り防止片１２０は、第２実施形態の場合、内側レール部１０の上端１０ａに嵌合させて取着される取付基部１１０に、揺動可能に、保持されている。取付基部１１０は、内側レール部１０の上端１０ａに嵌合される四角筒形状の結合筒部１１１と、結合筒部１１１から上方に延びて戻り防止片１２０を保持する保持枠部１１２と、を備えて構成されている。保持枠部１１２は、前後で対向する支持壁部１１４，１１４と、支持壁部１１４，１１４相互を遊技領域１２側で連結する連結壁部１１３と、を備えて構成されている。支持壁部１１４，１１４には、相互の対向面に、前後方向に沿って配設される支持ピン１１５を支持する軸支部１１４ａが形成され、軸支部１１４ａに支持された支持ピン１１５は、戻り防止片１２０の軸部１２２に挿通されている。
【００６５】
戻り防止片１２０は、上下方向の中間付近に、支持ピン１１５を挿通させる軸部１２２を配設させ、軸部１２２の左方側において、上方側に略長方形板状の逆止片部１２３を配設させ、下方側に錘部１２１を配設させて構成されている。錘部１２１は、逆止片部１２３を上下方向に沿って配置させた際、取付基部１１０の連結壁部１１３に当接されて、逆止片部１２３のレール部８側への回転（図１９の反時計方向回り）、を規制している。
【００６６】
そして、戻り防止片１２０の逆止片部１２３の上縁１２３ａ側には、レール部８から遊技領域１２側に向かう方向に貫通するように、溝部１２４が形成されている。また、溝部１２４は、上端側の開口１２４ａから進入する連結材Ｓが、底部１２５に移動し易いように、底部１２５側にかけてテーパ状に前後方向に沿った開口幅を狭めるように、すなわち、底部１２５から延びる対向壁部１２６，１２７を、上方に向かって拡開させるように、配設させている。特に、実施形態では、対向壁部１２６，１２７は、遊技球Ｂの刃部１３１との接触を防止できるように、底部１２５側の開口幅を急激に狭めるように、上方へ膨らむような曲面状に、形成されている。
【００６７】
そして、溝部１２４の底部１２５には、切断部位ＣＴ２を構成する刃部１３１が配設され、その周囲の対向壁部１２６，１２７付近を、遊技球Ｂの刃部１３１との接触を防止するカバー部１２９としている。刃部１３１は、上端側に薄肉の切刃１３２を備え、その切刃１３２を、底部１２５の形成方向（左右方向）と交差するように、前後方向に沿わせて配置させて、底部１２５の左右方向の中央に配置されている。さらに、切刃１３２は、下方に凹むように湾曲して形成されている。そして、この刃部１３１の配置位置は、周囲の対向壁部１２６，１２７の縁付近を、遊技球Ｂの刃部１３１との接触を防止するカバー部１２９とするように、底部１２５に接近させるように、設定されている。
【００６８】
この第２実施形態の戻り防止片１２０は、連結材Ｓを付けた状態で発射された遊技球Ｂが、レール部８を上昇してくれば、図１９のＡ，Ｂに示すように、遊技球Ｂに押されて、軸部１２２を回動中心として、遊技領域１２側へ上縁１２３ａを倒し、そして、遊技球Ｂが上縁１２３ａを越え、下方に流下すれば、図１９のＣに示すように、錘部１２１の重量により、戻る。その際、遊技球Ｂから連結材Ｓが延びていれば、遊技球Ｂの重量や落下運動する遊技球Ｂの慣性力が加わって、連結材Ｓが、緊張状態となって、戻り防止片１２０の上縁１２３ａに引っ掛かり、さらに、溝部１２４の開口１２４ａから、対向壁部１２６，１２７を案内面とするように、底部１２５側に滑り、刃部１３１の切刃１３２に接触する。そして、連結材Ｓは、切刃１３２が下方に凹むように湾曲していることもあいまって、切刃１３２に引き切りされるように、切断され、あるいは、対向壁部１２６，１２７を滑ってくる勢いで、切刃１３２に押し切りされて、切断される。あるいは、遊技球Ｂの移動による牽引によって、切刃１３２に削られるように、連結材Ｓが切刃１３２と摺動して、切断される。
【００６９】
そのため、第２実施形態の切断部位ＣＴ２では、連結材Ｓが、下方に引っ張られ、緊張状態となって、戻り防止片１２０の上縁１２３ａ側に設けた切断部位ＣＴ２の溝部１２４に入り、そして、刃部１３１と接触して、円滑に、切断される。すなわち、第２実施形態では、遊技球Ｂを操作しようと、球受け皿４４側の連結材Ｓの操作把持部を引っ張る前に、遊技球Ｂを操作不能に、連結材Ｓを切断させることができる。勿論、遊技球Ｂが遊技領域１２に打ち出されて落下した直後に、連結材Ｓが切断されなくとも、その後の連結材Ｓの引っ張り操作時には、連結材Ｓが、緊張状態となって刃部１３１と摺動するため、刃部１３１の切刃１３２が、連結材Ｓを部分的に削り取る状態となり、円滑に連結材Ｓを切断することができる。
【００７０】
また、第２実施形態でも、カバー部１２９が、遊技球Ｂの刃部１３１との直接接触を防止できることから、正常遊技時の遊技球を傷付けることもない。
【００７１】
さらに、第２実施形態でも、切断部位ＣＴ２を設けた部材が、パチンコ遊技機１の交換部品の一つである戻り防止片１２０であり、既存のパチンコ遊技機において、交換して、切断部位ＣＴ２を設けた部品（戻り防止片）１２０を取り付けることができて、容易に、連結材Ｓを付けた遊技球Ｂによる不正行為対策を図ることができる。
【００７２】
なお、第２実施形態の場合、戻り防止片１２０は、取付基部１１０に揺動可能に支持されて、取付基部１１０と一体的な戻り防止部品１０９として、構成されており、部品交換時には、取付基部１１０と戻り防止片１２０とを一体的に組み付けた戻り防止部品１０９として、交換されることとなる。
【００７３】
また、戻り防止片に切断部位を設ける場合、遊技領域１２に打ち出される遊技球Ｂから延びる連結材Ｓは、戻り防止片１２０の上縁１２３ａにおける前後方向中央付近に配置されて、下方へ引っ張られる状態となり易いが、連結材Ｓが、遊技盤面６に接近し過ぎて、戻り防止片１２０の上縁１２３ａからずれてしまうことを考慮して、図２０〜２２に示すように、戻り防止片１２０Ａを構成してもよい。
【００７４】
この戻り防止片１２０Ａでは、逆止片部１２３Ａの後縁１２３ｂが、取付基部１１０Ａの後方側の支持壁部１１４Ａを対応させて、遊技盤５に設けた凹部５ａに収納させて、遊技盤面６より後方に埋め込まれるように、配設されている。特に、図例の場合には、溝部１２４の開口１２４ａが、遊技盤面６に進入するように、換言すれば、対向壁部１２６の上縁１２６ａが、遊技盤面６より後方に位置するように、配設されている。
【００７５】
なお、遊技盤５に設けた凹部５ａは、遊技球Ｂの通過を許容できるように、逆止片部１２３Ａの上縁１２３ａ側の揺動を可能とした状態で、取付基部１１０Ａの後方側の支持壁部１１４Ａと逆止片部１２３Ａとを収納できるように、構成されている。そして、図例の取付基部１１０Ａは、ねじ１１７止め等して、揺動可能に支持する戻り防止片１２０Ａを、内側レール部１０の上端１０ａに連なるように、配設させている。
【００７６】
この戻り防止片１２０Ａでは、遊技盤面６と戻り防止片１２０Ａとの間に、連結材Ｓが嵌ること無く、円滑に、連結材Ｓを、切断部位ＣＴ２の溝部１２４内に導入させ、そして、刃部１３１の切刃１３２によって、切断できる。
【００７７】
また、戻り防止片に設ける切刃としては、図例のような一枚刃の刃部１３１でなく、図２３，２４に示すように、溝部１２４の底部１２５側にかけて、切刃１３２，１３２を相互に接近させつつ重ねるように、二枚の刃部１３１Ａを底部１２５に設けてもよい。
【００７８】
＜第３実施形態＞
さらに、レール部に切断部位を設ける場合には、図２５〜２７に示す第３実施形態の切断部位ＣＴ３のように構成してもよい。
【００７９】
この第３実施形態の切断部位ＣＴ３は、外側レール部９と内側レール部１０とを備えて構成されるレール部８の内側レール部１０に、配設され、特に、実施形態の場合、内側レール部１０に取り付ける切断用部品１４０に、設けられている。この内側レール部１０は、遊技領域１２を囲むように、外膨らみの曲線状に形成されており、遊技球Ｂの曲がった通路ＬＲにおける内側の通路面ＩＦ側を構成することとなる。
【００８０】
切断用部品１４０は、内側レール部１０に取り付けるための取付基部１４１と、半割り円柱状の突条部１４２と、を備えて構成されている。取付基部１４１は、断面コ字形として、内側の嵌合溝１４１ａに、内側レール部１０を嵌めれば、その部位に、取り付け固定されるように、構成されている。
【００８１】
そして、突条部１４２は、外側レール部９側に、開口１４３ａを開けた溝部１４３を配設させて、溝部１４３は、レール部８を通過する遊技球Ｂの移動方向に沿って、底部１４４を配置させている。すなわち、底部１４４から前後で対向するように延びる対向壁部１４５，１４６が、取付基部１４１から外側レール部９側に向かって、相互に拡開するように、配設されている。特に、この第３実施形態でも、対向壁部１４５，１４６は、遊技球Ｂの刃部１５０との接触を防止できるように、底部１２５側の開口幅を急激に狭めるように、レール部８を通過する遊技球Ｂの軌跡側、換言すれば、外側レール部９側の左方側に向かって、膨らむような曲面状に、形成されている。
【００８２】
そして、底部１４４に、第２実施形態と同様に、切断部位ＣＴ３を構成する切刃１５１を有した一枚の刃部１５０が配設されている。切刃１５１は、レール部８を通過する遊技球Ｂの移動方向と直交するように、配設されている。切刃１５１は、中央を、底部１４４に接近させるように、凹ませて、構成されている。そして、刃部１５０の周囲の対向壁部１４５，１４６付近が、遊技球Ｂの刃部１５０との接触を防止するカバー部１４８としている。
【００８３】
また、切断用部品１４０は、内側レール部１０に取り付けられた際、突条部１４２の内側レール部１０からの突出高さＨ０を、発射装置３０から発射されて外側レール部９の内側面９ｂを転動してくる遊技球Ｂが突条部１４２と接触しないように、設定されている。
【００８４】
そして、遊技球Ｂが内側レール部１０の上端１０ａを経て遊技領域１２に打ち出される際、連結材Ｓが、内側レール部１０に接触するように、連結材Ｓが緊張状態となった際、その緊張状態の連結材Ｓを折曲させつつ接触できるように、切刃１５１の内側レール部１０からの突出高さＨ１が、設定されている。換言すれば、遊技球Ｂがレール部８等の小さな曲率の部位の曲がり通路ＬＲを通過する際には、緊張状態の連結材Ｓが刃部１５０と接触できるように、切刃１５１が溝部１４３の底部１４４から突設されている。勿論、切刃１５１の底部１４４からの突設状態は、底部１４４や対向壁部１４５，１４６の縁１４４ａ，１４５ａ，１４６ａからなるカバー部１４８が、レール部８を上昇する遊技球や遊技領域１２に打ち出されずに戻ってくる遊技球Ｂの刃部１５０との接触を防止できる範囲内で、設定されている。
【００８５】
この第３実施形態では、遊技球Ｂが、発射装置３０から発射され、レール部８を経て、遊技領域１２に打ち出されようとすれば、遊技球Ｂに連なる連結材Ｓは、内側レール部１０の外周側の全面に接触するように、牽引されることから、切断部位ＣＴ３の溝部１４３内に入り込んで、円滑に、刃部１５０の切刃１５１と摺動して、切断されることとなる。この時の連結材Ｓの切断は、連結材Ｓが緊張状態で溝部１４３内に入り込んで、対向壁部１４５，１４６を滑り、さらに、切刃１５１の部位でも部分的に滑って、切刃１５１に引き切りされたり、切刃１５１に押し切りされたり、あるいは、切刃１５１に削られたりして、行われる。さらに、連結材Ｓの切断は、連結材Ｓの引っ張り操作時に、連結材Ｓが、切刃１５１に削られて、切断される場合もある。
【００８６】
そして、この第３実施形態の切断部位ＣＴ３でも、緊張状態の連結材Ｓが接触する部位である内側レール部１０に、単に、切断部位ＣＴ３を設けた切断用部品１４０を、配設するだけで、容易に、連結材Ｓを切断できて、簡便な構成で、遊技球Ｂの操作を不能にできて、不正行為を防止できる。また、カバー部１４８が、遊技球Ｂの刃部１５０との直接接触を防止できて、正常遊技時の遊技球Ｂを傷付けることもない。
【００８７】
そして、この第３実施形態は、内側レール部１０に単に組み付けるだけで、内側レール部１０に切断部位ＣＴ３を配設でき、既存のパチンコ遊技機でも、簡単に、不正行為対策を行うことができる。
【００８８】
なお、第３実施形態の切断用部品１４０では、内側レール部１０に取り付ける際、断面コ字形の取付基部１４１を利用して、その嵌合溝１４１ａに、内側レール部１０を嵌め込むだけで、簡単に行えるワンタッチのクリップタイプを示したが、他に、ねじ止め等で取り付けるように構成してもよい。
【００８９】
＜第４実施形態＞
また、切断部位を内側レール部に設ける場合、図２８〜３０に示す第４実施形態のように、内側レール部１０自体に、切断部位ＣＴ４を構成する溝部１５５を設けてもよい。
【００９０】
この溝部１５５は、内側レール部１０の前後方向の中央付近に、内側レール部１０に沿って長く延びる長穴状に貫通された開口１５５ａを設けて、形成され、対向壁部１５７，１５８が、内側レール部１０の開口１５５ａの内周面から形成されている。換言すれば、溝部１５５は、開口１５５ａの上下端部に底部１５６，１５６を設けて、それらの底部１５６，１５６間を、開口させて、形成されている。そして、上端側の底部１５６Ｕにおける内側レール部１０の内周面１０ｂ側に、刃部１６２が固定されている。
【００９１】
刃部１６２は、上方へ湾曲するような切刃１６３を下向きに配設させている。そして、刃部１６２の周囲の底部１５６Ｕや対向壁部１５７，１５８における外側レール部９側の縁１５６ａ，１５７ａ，１５８ａ付近が、開口１５５ａの前後方向の開口幅や内側レール部１０の肉厚と対応して、遊技球Ｂの刃部１６２との接触を防止するカバー部１６０としている。
【００９２】
この第４実施形態の切断部位ＣＴ４では、遊技球Ｂが、発射装置３０から発射され、レール部８を経て、遊技領域１２に打ち出されようとすれば、遊技球Ｂに連なる連結材Ｓは、内側レール部１０の外周側の全面に接触するように、牽引されることから、切断部位ＣＴ４の溝部１５５の開口１５５ａ内に入り込んで、円滑に、刃部１６２の切刃１６３と摺動して、切断されることとなる。この時の連結材Ｓの切断は、連結材Ｓが緊張状態で溝部１５５内に入り込んで、切刃１５１に削られたり、引き切りされたり、あるいは、押し切りされて、行われる。さらに、連結材Ｓの切断は、連結材Ｓの繰出操作時に、連結材Ｓが、切刃１５１に削られて、切断される場合もある。
【００９３】
そして、この第４実施形態の切断部位ＣＴ４でも、緊張状態の連結材Ｓが接触する部位である内側レール部１０に、単に、溝部１５５と刃部１６２とからなる切断部位ＣＴ４を設けるだけで、容易に、連結材Ｓを切断できて、簡便な構成で、遊技球Ｂの操作を不能にできて、不正行為を防止できる。また、カバー部１６０が、遊技球Ｂの刃部１６２との直接接触を防止できて、正常遊技時の遊技球Ｂを傷付けることもない。
【００９４】
＜変形例＞
なお、各実施形態では、刃部１０３，１３１，１３１Ａ，１５０，１６２として、金属製やセラミック製等の薄手の切刃を持ったカッターから形成した場合を示したが、既述したように、刃部は、切断砥石・やすり・サンドペーパ等の細かい凹凸を設けた研削具、から形成することができる。
【００９５】
また、刃部１０３，１３１，１３１Ａ，１５０，１６２は、各実施形態のように、カバー部１０１，１２９，１４８，１６０を構成する切断用部品９０，１４０、戻り防止片１２０，１２０Ａ、内側レール部１０に、別体として組み付けたり、あるいは、各実施形態と相違して、周囲のカバー部と一体的に形成したり、適宜、一体的に形成後、後加工して、形成してもよい。
【００９６】
さらに、刃部１０３，１３１，１３１Ａ，１５０，１６２は、緊張状態の連結材Ｓとの接触時、削ったり、引き切り、押し切り等で切断できる位置に、その切刃１０４，１３２，１５１，１６３や研削面を配置させればよい。
【００９７】
また、各実施形態では、切断部位ＣＴ１，ＣＴ２，ＣＴ３，ＣＴ４を、遊技球Ｂが球受け皿４４から発射装置３０に至るまでの部位、あるいは、レール部８の部位に配設した場合を示したが、他に、入賞口における入賞スイッチ（球検知スイッチ）２５の直前部位や、大当り遊技中に右打ちする場合のセンター役物１４の右上部付近等に、切断部位を配設してもよい。
【符号の説明】
【００９８】
１…パチンコ遊技機、
６…遊技盤面、
８…レール部、
９…外側レール部、
１０…内側レール部、
１２…遊技領域、
２５…（入賞スイッチ）球検知スイッチ、
３０…発射装置、
４４…球受け皿、
４８…ハンドル、
６０…球送り装置、
９６，９６Ａ，９６Ｂ，９６Ｃ，１２４，１４３，１５５…溝部、
９７，１２５，１４４，１５６…底部、
１０１，１２９，１４８，１６０…カバー部、
１０３，１３１，１３１Ａ，１５０，１６２…刃部、
１０４，１３２，１５１，１６３…切刃、
ＬＲ…曲がった通路、
ＩＦ…内側の通路面、
ＣＴ１，ＣＴ２，ＣＴ３，ＣＴ４…切断部位、
Ｓ…連結材、
Ｂ…遊技球。
【図１】
2012070941.tif 000003
【図２】
2012070941.tif 000004
【図３】
2012070941.tif 000005
【図４】
2012070941.tif 000006
【図５】
2012070941.tif 000007
【図６】
2012070941.tif 000008
【図７】
2012070941.tif 000009
【図８】
2012070941.tif 000010
【図９】
2012070941.tif 000011
【図１０】
2012070941.tif 000012
【図１１】
2012070941.tif 000013
【図１２】
2012070941.tif 000014
【図１３】
2012070941.tif 000015
【図１４】
2012070941.tif 000016
【図１５】
2012070941.tif 000017
【図１６】
2012070941.tif 000018
【図１７】
2012070941.tif 000019
【図１８】
2012070941.tif 000020
【図１９】
2012070941.tif 000021
【図２０】
2012070941.tif 000022
【図２１】
2012070941.tif 000023
【図２２】
2012070941.tif 000024
【図２３】
2012070941.tif 000025
【図２４】
2012070941.tif 000026
【図２５】
2012070941.tif 000027
【図２６】
2012070941.tif 000028
【図２７】
2012070941.tif 000029
【図２８】
2012070941.tif 000030
【図２９】
2012070941.tif 000031
【図３０】
2012070941.tif 000032